(57)【要約】      （修正有）【課題】簡易な構成をして釣竿を確実に保持することができる釣竿保持具を提供する。【解決手段】本釣竿支持具１は、側壁Ｓを有する釣用容器Ｃに取り付けられ、釣竿Ｒを保持するものであって、釣用容器Ｃの側壁Ｓに取付可能な取付部１０と、取付部１０が固定され、釣竿Ｒを上下方向に挿入可能な挿入孔２５を上端部に有する筒状の支持部２０とを備える。該支持部２０は、水平方向に対向する一対の前面側板部材および後面側板部材２２と、前面側板部材および後面側板部材２２の左側縁間に設けられた左面側板部材と、前面側板部材および後面側板部材２２の右側縁間に左面側板部材と対向する態様で設けられた右面側板部材２４とを備え、左側板部材および右面側板部材２４が下方に向かうに連れて次第に離間していることを特徴とする。【選択図】図１
0003176641.tif 000002
【実用新案登録請求の範囲】
【請求項１】
側壁を有する釣用容器に取り付けられ、釣竿を支持する釣竿支持具であって、
釣用容器の側壁に取付可能な取付部と、
前記取付部が固定される支持部とを備え、
前記支持部は、釣竿を上下方向に挿入可能な挿入孔を上端部に有するとともに、
互いに対向しながら上下方向に立設する態様で設けられた一対の幅広の後面側板部材および前面側板部材と、後面側板部材および前面側板部材の一方側縁間に設けられた幅狭の左面側板部材と、前記後面側板部材および前面側板部材の他方側縁間に左面側板部材に対向する態様で設けられた幅狭の右面側板部材とを有し、前記左面側板部材および前記右面側板部材が下方に向かうに連れて次第に離間する態様で配置されていることを特徴とする釣竿支持具。
【請求項２】
前記支持部は、前記後面側板部材、前面側板部材、左面側板部材および右面側板部材により形成される筒状の下端部が開口している請求項１に記載の釣竿支持具。
【請求項３】
前記支持部は、前記後面側板部材の下端部から前記取付部側に水平に突出する平板状の突出片を備えている請求項１または請求項２に記載の釣竿支持具。
【考案の詳細な説明】
【技術分野】
【０００１】
本考案は、釣竿を支持する釣竿支持具に関する。
【背景技術】
【０００２】
通常、魚釣りは釣竿を手に持ってするものであるが、防波堤や海岸における海釣り等のように長時間魚釣りをする場合、釣竿を持つ手が疲れてしまったり、魚釣りをしている間は手が使えなくなってしまう場合がある。そこで、釣竿を手に持つことなく魚釣りをすることができる釣竿支持具が従来より知られている（下記特許文献１）。
【０００３】
この特許文献１の釣竿支持具は、釣竿が挿着された釣竿支持部をクーラーボックスの側壁に固着した台部に対して回動自在に軸着し、釣竿支持部を所望の角度に傾斜させて固定する釣竿角度調整部を備えるものである。
【先行技術文献】
【特許文献】
【０００４】
【特許文献１】特開２００２−１７２２６号
【考案の概要】
【考案が解決しようとする課題】
【０００５】
しかしながら、従来の釣竿支持具は、釣竿角度調整部が複雑な機構であることから製造コストが高くなるため、釣竿を支持することに対するコストパフォーマンスが悪いという問題があった。
【０００６】
また、従来の釣竿支持具は、釣竿を支持している際、釣竿角度調整部が釣竿の重みに耐えきれずに釣竿の姿勢が前方側に倒れてしまい、釣竿が釣竿支持部から抜け出てしまう虞があった。これに対し、釣竿角度調整部の固定強度を向上させる、あるいは、さらに釣竿を支えるための補助部材を加える等、種々の工夫を施すことも考えられるが、釣竿支持具自体の機構がより複雑なものとなり、製造コストもさらに高くなってしまう。
【０００７】
本考案は、簡易な構成にして釣竿を確実に支持することができる釣竿支持具を提供することを目的とする。
【課題を解決するための手段】
【０００８】
本考案は、上記目的を達成するために、側壁を有する釣用容器に取り付けられ、釣竿を支持する釣竿支持具であって、釣用容器の側壁に取付可能な取付部と、前記取付部が固定される支持部とを備え、前記支持部は、釣竿を上下方向に挿入可能な挿入孔を上端部に有するとともに、互いに対向する態様で設けられた一対の幅広の後面側板部材および前面側板部材と、後面側板部材および前面側板部材の一方側縁間に設けられた幅狭の左面側板部材と、前記後面側板部材および前面側板部材の他方側縁間に左面側板部材に対向する態様で設けられた幅狭の右面側板部材とを有し、前記左面側板部材および前記右面側板部材が下方に向かうに連れて次第に離間する態様で配置されていることを特徴とする。
【０００９】
これによれば、４つの各側板部材が形成する筒状の支持部により釣竿を支持をすることができ、また、該支持部の左面側板部材または右面側板部材に沿った傾斜姿勢で釣竿を支持するため、簡易な構成にして釣竿を確実に支持することができる。
【００１０】
また、前記支持部は、前記後面側板部材、前面側板部材、左面側板部材および右面側板部材により形成される筒状の下端部が開口しているのが好ましい。これによれば、４つの各側板部材により形成される筒状の下端部が開口していることにより、支持部は岩場等のような地面の凹凸部と接触する部分が少ないため、釣竿支持部を安定して載置することができる。
【００１１】
また、前記支持部は、前記後面側板部材の下端部から前記取付部側に水平に突出する平板状の突出片を備えているのが好ましい。これによれば、釣用容器に釣竿支持具を取り付けるに際して、突出片上に釣用容器を載置することにより支持具が押さえ込まれるため、釣竿支持具を安定して載置することができる。
【考案の効果】
【００１２】
本考案によれば、４つの側板部材が形成する筒状の支持部により釣竿を支持をすることができ、また、該支持部の左面側板部材または右面側板部材に沿った傾斜姿勢で釣竿を支持するため、簡易な構成にして釣竿を確実に支持することができる。
【図面の簡単な説明】
【００１３】
【図１】釣竿支持具の斜視図である。
【図２】図１における釣竿支持具の正面図である。
【図３】図１における釣竿支持具の底面図である。
【図４】図１における釣竿支持具の断面図である。
【図５】図１における釣竿支持具の使用状況を示す図である。
【考案を実施するための形態】
【００１４】
次に、本考案に係る釣竿支持具の一実施形態について図１〜図５を用いて説明する。
【００１５】
本実施形態の釣竿支持具１は、側壁Ｓおよび底壁Ｂを有する釣用容器（本実施形態ではクーラーボックスである）Ｃに取り付けられ、釣竿Ｒを支持するものである。
【００１６】
本釣竿支持具１は、図１に示すように、釣用容器Ｃの側壁Ｓに取付可能な取付部１０と、取付部１０が固定された支持部２０とを備えている。
【００１７】
前記取付部１０は、図１に示すように、ステンレス等の一枚の金属板部材を折曲して形成されており、釣用容器Ｃにおける側壁Ｓの上端部Ｓ１に上方側から側壁Ｓを挟持する態様で取付可能となされている。具体的には、取付部１０は、図４に示すように、全体として倒立逆Ｊ字状に形成されたものであり、側壁Ｓの外側面に沿う態様で設けられ、後述する支持部２０の後面側板部材２２に固定される外側部材１１と、側壁Ｓの内側面に沿う態様で設けられた内側部材１２と、外側部材１１の上端と内側部材１２の上端とを接続する接続部材１３とを備え、外側部材１１と内側部材１２の間で側壁Ｓを挟持する。このとき内側部材１２が板ばねとして作用し、側壁Ｓを適度に挟持することができる。
【００１８】
また、内側部材１２は凹凸部１２１を備えており、該凹凸部１２１が釣用容器Ｃの内側面の上端近傍に設けられたリブ部Ｓ２に引っ掛かるため、取付部１０が側壁Ｓから上方側に外れにくくなる（図１参照）。また、凹凸部１２１は複数設けられているため、リブ部の配置高さが異なる多種の釣用容器に対応することができる。なお、本実施形態では、内側部材１２は上下方向の長さが１５ｃｍで構成されている。
【００１９】
前記支持部２０は、図１に示すように、ステンレス等の金属素材よりなり、上下方向に立設して対向する一対の幅広の前面側板部材２１および後面側板部材２２と、前面側板部材２１および後面側板部材２２の左側縁間に設けられた幅狭の左面側板部材２３と、前面側板部材２１および後面側板部材２２の右側縁間に設けられた幅狭の右面側板部材２４とを有する。
【００２０】
前記後面側板部材２２は、図２に示すように、上端辺と下端辺がともに水平方向に平行となされ、左右対称の台形状に形成された平面状の側板部材であり、釣用容器Ｃの側壁Ｓに取り付けられた際に該側壁Ｓに接しながら平行に立設するものである。また、この後面側板部材２２は、左側縁の斜辺と右側縁の斜辺の延長線が鋭角に交差する態様で形成されている。本実施形態では、前面側板部材２１は、上端辺が５ｃｍ、下端辺が２０ｃｍ、高さが２７ｃｍであり、両斜辺同士の延長線が約３０度で交差する台形状に形成されている。
【００２１】
また、後面側板部材２２は、下端部から取付部１０側に水平に突出する板状の突出片２２１を備えている。釣用容器Ｃに釣竿支持具１を取り付けるに際して、突出片２２１上に釣用容器Ｃを載置することにより支持具が押さえ込まれるため、釣竿支持具を安定して載置することができる。なお、本実施形態では、突出片２２１は、幅２０ｃｍ、奥行き５ｃｍで形成されている。
【００２２】
前記前面側板部材２１は、図１に示すように、後面側板部材２２と同一形状、同一サイズで形成された平面状の側板部材であり、図４に示すように、後面側板部材２１と５ｃｍの間隔をあけて対向する態様で立設している。後面側板部材２２と前面側板部材２１の間隔を５ｃｍとするのは、後面側板部材２２と前面側板部材２１の間で一般的な１本の釣竿Ｒが動き得る間隔を確保するためである。
【００２３】
前記左面側板部材２３は、図１に示すように、幅５ｃｍで形成された上下方向に縦長の平面板部材である。また、左面側板部材２３は、図２に示すように、前面側板部材２１および後面側板部材２２の左側縁の斜辺に沿って設けられているため、全体として左斜め下方に向かって傾斜している。なお、本実施形態では、左面側板部材２３は上下（垂直）方向に対して約１５度傾斜している。
【００２４】
前記右面側板部材２４は、左面側板部材２３と対向する態様で設けられ、左面側板部材２３と同一形状、同一サイズで形成された平面板部材であり、前面側板部材２１および後面側板部材２２の右側縁の斜辺に沿って設けられているため、全体として右斜め下方に向かって傾斜している。なお、右面側板部材２４は、上下（垂直）方向に対して約１５度傾斜している。
【００２５】
而して、左面側板部材２３および右面側板部材２４は、互いに約３０度の角度にて下方に向かうに連れて次第に離間する態様で配置されている。
【００２６】
また、支持部２０は、図１に示すように、釣竿Ｒを上下方向に挿入可能な挿入孔２５を有している。この挿入孔２５は、前面側板部材２１の上端辺、後面側板部材２２の上端辺、左面側板部材２３の上端辺および右面側板部材２４の上端辺が四方を囲んで方形状に形成したものである。本実施形態では、挿入孔２５は、前面側板部材２１および後面側板部材２２の上端辺が５ｃｍで、左面側板部材２３および右面側板部材２４の上端辺が５ｃｍであるため、５ｃｍ四方の孔となされているため、一般的な釣竿Ｒを上下方向に挿入可能に構成されている。
【００２７】
また、この挿入孔２５には、図１および図４に示すように、クッション部材２５１が設けられている。該クッション部材２５１は、柔軟性を有するスポンジ等の合成樹脂よりなり、釣竿Ｒとの接触を和らげるため、釣竿Ｒに傷が付くことを防止することができる。
【００２８】
また、上記支持部２０は、前面側板部材２１、後面側板部材２２、左面側板部材２３および右面側板部材２４により形成される筒状の下端部が開口している。これにより、支持部２０は岩場等のような地面の凹凸部と接触する部分が少ないため、釣竿支持具１を安定して載置することができる。
【００２９】
次に、本釣竿支持具１の取付方法および使用方法について説明する。なお、以下では、図５中の左側および右側に海がある防波堤Ｔでの魚釣りにて本釣竿支持具１を使用する場合について説明する。
【００３０】
まず、本釣竿支持具１の取付方法としては、図１に示すように、取付部１０の内側部材１２を外側部材１１から適度に離間させながら釣用容器Ｃにおける側壁Ｓの上端部Ｓ１に嵌み込んだあと、側壁Ｓを挟持する態様で取り付ける。これにより本釣竿支持具１が、釣用容器Ｃの側壁Ｓに後面側板部材２１が沿う態様で配置されることになる。
【００３１】
また、本釣竿支持具１の使用方法としては、図５に示すように、支持部２０の挿入孔２５から釣竿Ｒを上下方向に挿入する。そして、挿入孔２５に挿入した釣竿Ｒを図中において左側の海に向かって傾斜させた場合、支持部２０の内部において釣竿Ｒ１が挿入孔２５を支点に右面側板部材２４側に向かって回動し、釣竿Ｒを右面側板部材２４に沿った傾斜姿勢で支持することができる（図５中の釣竿Ｒ１の状態）。
【００３２】
一方、挿入部２５に挿入した釣竿Ｒを図５中において右側の海に向かって傾斜させた場合、支持部２０の内部において釣竿Ｒが挿入孔２５を支点に左面側板部材２３側に向かって回動し、釣竿Ｒを左面側板部材２３に沿った傾斜姿勢で支持することができる（図５中の釣竿Ｒ２の状態）。
【００３３】
このように、釣竿Ｒを支持する支持部２０が４つの各側板部材２１〜２４によって筒状に形成されており、また、釣竿Ｒが支持部２０の左面側板部材２３または右面側板部材２４に沿った傾斜姿勢で支持されるため、簡易な構成にして釣竿Ｒを確実に支持することができる。しかも、本実施形態では、左面側板部材２３および右面側板部材２４は、いずれも下方に向かうに連れて次第に離間する態様で配置されていることより、左面側板部材２３あるいは右面側板部材２４のいずれに対しても所定の傾斜姿勢で釣竿Ｒを支持することができる。
【００３４】
なお、本実施形態では、取付部１０は、釣用容器Ｃの側壁Ｓを挟持する態様で取り付けられる場合について説明したが、その他の取付方法による取付部であってもよい。
【００３５】
また、取付部１０が支持部２０に対して後面側板部材２２に取り付けられるものとしたが、その他の支持部２０の各部材２１，２３，２４に取り付けられてもよい。
【００３６】
また、挿入孔２５が方形状である場合について説明したが、長円形等その他の形状であってもよい。
【００３７】
また、支持部２０は前面側板部材２１、後面側板部材２２、左面側板部材２３および右面側板部材２４により形成される筒状の下端部が開口している場合について説明したが、開口していなくてもよい。
【００３８】
また、突出片２２１が備えられている場合について説明したが、備えられていなくてもよい。
【００３９】
また、クッション部材２５１が設けられる場合について説明したが、設けられなくてもよい。
【００４０】
また、前面側板部材２１および後面側板部材２２の上端辺、前面側板部材２１と後面側板部材２２の間隔、左面側板部材２３および右面側板部材２４の幅がいずれも５ｃｍである場合について説明したが、これに限定されるものではない。
【００４１】
また、取付部１０および支持部２０がステンレス等の金属素材よりなる場合について説明したが、それ以外の素材よりなってもよい。例えば、左面側板部材２３および右面側板部材２４が弾性部材よりなるようにしてよいし、あるいは布部材よりなるようにしてよい。
【００４２】
また、前面側板部材２１および後面側板部材２２は、上端辺が５ｃｍ、下端辺が２０ｃｍ、高さが２７ｃｍであり、両斜辺同士の延長線が約３０度で交差する台形である場合について説明したが、これに限られるものではない。
【００４３】
また、釣用容器Ｃがクーラーボックスである場合について説明したが、その他の釣用容器であってもよい。
【００４４】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００４５】
１…釣竿支持具
１０…取付部
１１…外側部材
１２…内側部材
１２１…凹凸部
１３…接続部材
２０…支持部
２１…前面側板部材
２２…後面側板部材
２２１…突出片
２３…左面側板部材
２４…右面側板部材
２５…挿入孔
２５１…クッション部材
【図１】
0003176641.tif 000003
【図２】
0003176641.tif 000004
【図３】
0003176641.tif 000005
【図４】
0003176641.tif 000006
【図５】
0003176641.tif 000007